(57)【要約】【課題】  外部のデータベースから取得したアドレス情報を有効に活用できる通信端末装置を提供する。【解決手段】  アドレス情報取得部１０５は、複数の属性を含むアドレス情報を当該複数の属性の項目名にそれぞれ対応付けて格納したデータベースを有するディレクトリサーバから、検索条件に基づき検索されたアドレス情報を項目名とともに取得する。対応テーブル記憶領域１２３は、通信方式と項目名とを対応付けて記憶する。検出部１０６は、項目名をキーとして対応テーブル記憶領域１２３を参照し、アドレス情報取得部１０５が取得したアドレス情報に含まれる属性の中から、通信の宛先に対応する属性を検出する。表示処理部１０９は、検出部１０６により検出された属性を通信方式に対応付けて表示部１５に表示させる。【選択図】  図２
2005217632.tif 000002
【特許請求の範囲】
【請求項１】
複数の通信方式により通信可能な通信端末装置であって、
検索条件を受け付ける受付手段と、
複数の属性を含むアドレス情報を当該複数の属性の項目名にそれぞれ対応付けて格納したデータベースから、前記検索条件に基づき検索されたアドレス情報を前記項目名とともに取得する取得手段と、
前記項目名に基づき、前記複数の属性の中から、前記通信方式による通信の宛先に対応する属性を検出する検出手段と、
前記検出手段により検出された前記属性を前記通信方式に対応付けて通知する通知手段と、
を備えたことを特徴とする通信端末装置。
【請求項２】
請求項１に記載の検出手段において、
前記通信方式と、前記項目名とを対応付けて記憶する記憶手段をさらに含み、
前記検出手段は、前記記憶手段を参照して、前記複数の属性の中から前記通信方式による通信の宛先に対応する前記属性を検出することを特徴とする通信端末装置。
【請求項３】
請求項１に記載の通信端末装置において、
前記検出手段は、前記取得手段が取得した前記項目名の特徴に基づき、前記複数の属性の中から前記通信方式による通信の宛先に対応する前記属性を検出することを特徴とする通信端末装置。
【請求項４】
請求項１乃至３いずれかに記載の通信端末装置において、
前記データベースに格納された前記項目名は、当該データベースの管理者により任意に設定されたものであることを特徴とする通信端末装置。
【発明の詳細な説明】
【技術分野】
【０００１】
本発明は、通信端末装置に関し、特に、ディレクトリサービスを利用してアドレス情報を取得して通信を行う通信端末装置に関する。
【背景技術】
【０００２】
ネットワーク技術の普及にともない、たとえばファクシミリ装置やＭＦＰ（Multi Functional Peripheral）などの情報機器もネットワークに接続されるようになってきた。このようなファクシミリ装置は、一般的なＧ３方式等によるファクシミリ通信機能の他に、Ｅメール送受信機能、原稿の画像データ等をネットワークを介して送受信するインターネットファックス機能等を備え、他のファクシミリ装置、コンピュータ、およびインターネットファックス装置等と情報の送受信を行うことができる。
【０００３】
ファクシミリ装置を使い、ファクシミリ原稿を所定の送信先に送信する場合、ユーザは、送信する原稿をファクシミリ装置に読み取らせ、送信先のファクシミリ番号をダイヤルする。このダイヤル作業を簡単にするために、多くのファクシミリ装置は、たとえば短縮ダイヤルや電話帳などの機能を備える。従来、これらの短縮ダイヤルや電話帳などの情報は、ファクシミリ装置毎に保有されていた。
【０００４】
しかし、近年、上述したように、ファクシミリ装置がネットワークに接続されるようになり、同じネットワークに接続されたディレクトリサーバに蓄積された情報をファクシミリ装置から読み出すことが可能となってきた。
【０００５】
特許文献１には、ＬＤＡＰ（Lightweight Directory Access Protocol）に基づくディレクトリサービスにおいて、クライアント側からＬＤＡＰに基づく検索を検索用ディレクトリサーバに実行させ、必要な情報を検索する文書ファイル検索システムが開示されている。
【０００６】
このようなディレクトリサーバに、電話帳などの情報を登録しておくことにより、従来はファクシミリ装置毎に保有していた電話帳などの情報を一元管理することが可能となっている。
【特許文献１】特開２００１−３２５２９０号公報
【発明の開示】
【発明が解決しようとする課題】
【０００７】
ところで、ディレクトリサーバが有しているアドレス情報は、たとえば、登録者名、会社名、所属部署名、電話番号、ファクシミリ番号、メールアドレスなどの複数の標準的な属性を含んでいる。また、ディレクトリサーバの管理者は、このような標準的な属性の他に、オプションとして拡張属性を任意に登録することができる。しかし、このような拡張属性は、ディレクトリサーバ側で任意に設定されるので、ファクシミリ装置側ではディレクトリサーバに登録されている拡張属性を把握することができない。そのため、従来、たとえば、検索結果のアドレス情報の拡張属性の中に、内線電話番号や携帯電話番号などが含まれていたとしても、それらの情報がアドレス情報だと認識することができず、電話番号として表示することができなかった。
【０００８】
本発明は、上記背景の下でなされたものであり、その目的は、ディレクトリサーバを利用してアドレス情報を取得する場合に、アドレス情報の中から通信方式による通信の宛先を適切に検出することができる通信端末装置を提供することにある。
【課題を解決するための手段】
【０００９】
本発明の通信端末装置は、複数の通信方式により通信可能な通信端末装置であって、検索条件を受け付ける受付手段と、複数の属性を含むアドレス情報を当該複数の属性の項目名にそれぞれ対応付けて格納したデータベースから、検索条件に基づき検索されたアドレス情報を項目名とともに取得する取得手段と、項目名に基づき、複数の属性の中から、通信方式による通信の宛先に対応する属性を検出する検出手段と、検出手段により検出された属性を通信方式に対応付けて通知する通知手段と、を備えたことを特徴とする通信端末装置、を備える。
【００１０】
ここで、データベースは、ディレクトリサーバに含まれてよい。通信方式は、ＰＳＴＮを利用した電話やファックス通信、インターネットを利用した電話やファックス通信、メール通信、ＵＲＬへのアクセス、ＦＴＰサーバへのアクセス、共有フォルダへのアクセスなどを含む。
【００１１】
本発明の通信端末装置は、アドレス情報に含まれる複数の属性の中から、各属性が対応付けられた項目名に基づき、通信方式による通信の宛先となる属性を検出し、ユーザに通知する。そのため、ユーザは宛先と通信方式とを対応付けて把握することができ、情報を有効に活用することができる。これにより、ユーザの利便性が向上する。
【００１２】
また、データベースに格納された項目名は、当該データベースの管理者により任意に設定されたものとすることができる。
【００１３】
上記通信端末装置は、通信方式と、項目名とを対応付けて記憶する記憶手段をさらに含むことができ、検出手段は、記憶手段を参照して、複数の属性の中から通信方式による通信の宛先に対応する属性を検出することができる。検出手段は、データベースから取得したアドレス情報に対応付けられた項目名をキーとして記憶手段を参照し、通信方式と属性とを対応付ける。
【００１４】
上記通信端末装置において、検出手段は、取得手段が取得した項目名の特徴に基づき、複数の属性の中から通信方式による通信の宛先に対応する属性を検出することができる。ここで、項目名の特徴とは、項目名に含まれる文字列とすることができる。たとえば、項目名が「telephone」という文字列を含む場合、検出手段は、その項目名に対応する属性の通信方式が「電話」であるということを検出することができる。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
上述のように、本発明によれば、ディレクトリサーバを利用してアドレス情報を取得する場合に、アドレス情報の中から通信方式による通信の宛先を適切に検出することができる通信端末装置が提供される。
【発明を実施するための最良の形態】
【００１７】
本実施の形態において、通信端末装置は、ディレクトリサーバを利用してアドレス情報を取得する場合に、ディレクトリサーバ側でアドレス情報に任意に設定された拡張属性を検出可能に構成される。
【００１８】
以下、本発明の実施の形態を図面を参照して説明する。
図１は、本実施の形態の通信端末装置のネットワーク構成を示すブロック図である。通信端末装置１０は、ネットワーク４１を介して複数のディレクトリサーバ４３に接続される。各ディレクトリサーバ４３は、様々な情報が蓄積されたデータベース（不図示）を有する。通信端末装置１０は、ディレクトリサーバ４３に検索条件を送信して検索を実行させ、ディレクトリサーバ４３から検索結果を取得する。通信端末装置１０は、たとえば、ＬＤＡＰに基づくディレクトリサービスを利用して、ＬＤＡＰに基づく検索をディレクトリサーバ４３に実行させる。
【００１９】
本実施の形態において、ディレクトリサーバ４３のデータベースには、複数の登録者について複数の属性を有するアドレス情報が格納されている。ここで、属性は、たとえば、登録者名、会社名、所属部署名、電話番号、ファクシミリ番号、メールアドレスなどの基本的な属性、および内線電話番号、内線ファクシミリ番号、携帯電話番号などの拡張属性を含む。拡張属性とは、ディレクトリサーバ４３の管理者が任意に設定した属性のことをいう。各属性は、その属性の項目名に対応付けて格納されている。ディレクトリサーバ４３のデータ構造については、後述する。本実施の形態において、通信端末装置１０は、相手先のアドレス情報を得るために、ディレクトリサーバ４３に問い合わせを行う。
【００２０】
通信端末装置１０は、他の通信端末装置と複数の通信方式で通信が可能である。通信端末装置１０は、たとえば、ＰＳＴＮ（公衆交換電話網）４５を通じて、電話機３０およびファックス端末３１と通信する。また、通信端末装置１０は、たとえば、インターネットなどのネットワーク４７を通じて、Ｅメール端末３３、ＩＰ電話端末３４およびインターネットファックス端末３５と通信する。
【００２１】
また、ここでは図示していないが、通信端末装置１０は、携帯電話端末と通信を行うこともでき、その場合、無線基地局および無線中継局を介して通信する。
【００２２】
通信端末装置１０は、通信部１１と、操作部１３と、表示部１５と、制御部１７と、記憶装置１９と、インタフェース部２１と、を含む。通信端末装置１０は、たとえば、ネットワークファクシミリ装置、ＭＦＰ（Multi Functional Peripheral）などである。なお、図１において、本発明の本質に関わらない部分の構成については省略してあり、たとえば、ファクシミリ装置の構成である原稿読み取り部、画像処理部および記録部や、電話装置の構成である音声出力部、集音部および音声処理部などは図示されていない。
【００２３】
また、通信端末装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２４】
通信部１１は、電話機３０、ファックス端末３１、Ｅメール端末３３、ＩＰ電話端末３４およびインターネットファックス端末３５などと通信を行う。操作部１３は、通信端末装置１０のユーザから各種設定および入力等の指示を受け付ける。操作部１３は、たとえば、操作ボタン、スイッチ、レバー、キーボード、タッチパネルなどである。表示部１５は、各種情報表示、操作画面表示、通信端末装置１０の動作や状態表示などを行う。表示部１５は、たとえば、ランプ、ＬＥＤ、ＣＲＴモニタ、液晶ディスプレイなどである。
【００２５】
制御部１７は、通信端末装置１０の各種要素とともに装置全体を制御する。記憶装置１９は、ディレクトリサーバ４３から取得した検索結果を一時的に記憶する検索結果記憶領域を有する。また、記憶装置１９は、アドレス情報の属性の項目名と通信方式とを対応付けたテーブルを記憶する対応テーブル記憶領域を含む。対応テーブルの詳細については後述する。
【００２６】
インタフェース部２１は、ネットワーク４１を介して接続された複数のディレクトリサーバ４３との通信を行う。なお、図１では、ネットワーク４１およびネットワーク４７を介した通信を、通信部１１およびインタフェース部２１によってそれぞれ行っているが、これに限定されるものではなく、同じインタフェース部にて行ってもよい。
【００２７】
図２は、図１の通信端末装置１０の制御部１７を詳細に示す機能ブロック図である。制御部１７は、通信方式指定部１０１と、検索条件受付部１０３と、アドレス情報取得部１０５と、検出部１０６と、表示処理部１０９と、指示受付部１１１と、通信制御部１１３とを含む。記憶装置１９は、検索結果記憶領域１２１と対応テーブル記憶領域１２３とを有する。
【００２８】
通信方式指定部１０１は、情報を送信する通信方式を指定する。通信方式指定部１０１は、たとえば、ユーザがファックス端末３１に情報を送信する場合、通信方式としてＰＳＴＮを利用したファックス通信を指定する。また、通信方式指定部１０１は、ユーザがＥメール端末３３に情報を送信する場合、通信方式としてメール通信を指定し、ユーザがインターネットファックス端末３５に情報を送信する場合、通信方式としてＩＰファックス通信を指定する。
【００２９】
検索条件受付部１０３は、アドレス情報を問い合わせるための検索条件の入力をユーザから受け付ける。ここで、検索条件は、たとえばユーザが操作部１３により送信相手の名称や所属部署の少なくとも一部を入力することにより指定される。
【００３０】
アドレス情報取得部１０５は、複数のアドレス情報を格納したデータベースを有するディレクトリサーバ４３に対し、検索条件に基づいてアドレス情報を問い合わせる。また、ディレクトリサーバ４３から返信された検索結果のアドレス情報を取得する。アドレス情報取得部１０５は、取得したアドレス情報を記憶装置１９の検索結果記憶領域１２１に格納する。
【００３１】
図３（ａ）は、ディレクトリサーバ４３のデータベースのデータ構造を示す。
ここで、データベースは、項目名に対応付けられた複数の属性を含む。属性のうち、項目名が“ｃｎ”、“ｏｕ”、“ｔｅｌｅｐｈｏｎｅＮｕｍｂｅｒ”、“ｆａｃｓｉｍｉｌｅＮｕｍｂｅｒ”、“ｍａｉｌ”で表されるものは、いずれのディレクトリサーバ４３でも有する基本的な属性である。本実施の形態において、ディレクトリサーバ４３は、管理者が任意に設定した拡張的な項目名に対応付けられた属性も含む。ここで、拡張的な属性は、たとえば項目名が“ｅｘｔｅｌｅｐｈｏｎｅＮｕｍｂｅｒ”、“ｅｘｆａｃｓｉｍｉｌｅＮｕｍｂｅｒ”、“ｅｘｍａｉｌ”で表されるものである。       
【００３２】
このように、ディレクトリサーバ４３のアドレス情報には複数の属性が含まれる。また、属性の中には、各ディレクトリサーバ４３側で独自に設定された拡張的なものも含まれるため、そのままでは、通信端末装置１０側でどの属性がどの通信方式に対応する宛先なのかを把握することができない。本実施の形態において、対応テーブル記憶領域１２３は、アドレス情報の属性の項目名と通信方式とを対応付けた対応テーブルを記憶するので、対応テーブルを参照して、各属性がどの通信方式に対応するのかを把握することができる。
【００３３】
図３（ｂ）は、対応テーブル記憶領域１２３のデータ構造を示す図である。ここでは、属性の項目名と、対応する通信方式とが対応付けられている。たとえば、項目名“ｔｅｌｅｐｈｏｎｅＮｕｍｂｅｒ”および“ｅｘｔｅｌｅｐｈｏｎｅＮｕｍｂｅｒ”は、電話「ＴＥＬ」に対応付けられている。また、項目名“ｆａｃｓｉｍｉｌｅＮｕｍｂｅｒ”および“ｅｘｆａｃｓｉｍｉｌｅＮｕｍｂｅｒ”は、ファックス「ＦＡＸ」に対応付けられている。図３（ｃ）は、対応テーブル記憶領域１２３のデータ構造の他の例を示す図である。ここでも同様の対応付けが行われる。
【００３４】
図２に戻り、検出部１０６は、対応テーブル記憶領域１２３を参照し、検索結果記憶領域１２１に格納されているアドレス情報に含まれる属性の中から通信方式の宛先となる属性を検出する。たとえば、図３（ａ）に示したレコードＲ１の場合、電話「ＴＥＬ」の宛先として“０１２−３４５−ｘｘｘ１”および“１１１１”が検出される。また、ファックスの宛先として、“０１２−３４５−ｘｘｘ２”および“１１１２”が検出される。
【００３５】
表示処理部１０９は、検出部１０６により検出された結果を表示部１５に表示させる処理を行う。
【００３６】
指示受付部１１１は、ユーザからの各種の指示を受け付け、受け付けた指示を該当するユニットに通知する。なお、図２において、指示受付部１１１から各ユニットに対する指示の通知を示すラインは省略している。通信制御部１１３は、指示受付部１１１が受け付けた指示にしたがい、通信部１１における通信を制御する。
【００３７】
このように構成された通信端末装置１０の動作について以下に説明する。図４は、通信端末装置１０の動作を示すフローチャートである。
【００３８】
まず、検索を行うディレクトリサーバが少なくとも一つ選択される（Ｓ１１）。ディレクトリサーバの選択は、ユーザが行ってもよいが、このステップは省略することもできる。たとえば、検索を行うディレクトリサーバ４３は予め設定されていてもよい。また、アドレス情報取得部１０５により自動的に適切なディレクトリサーバ４３が選択されてもよい。あるいは、複数のディレクトリサーバ４３に同時にまたは順次問い合わせが行われるようにしてもよい。
【００３９】
つづいて、検索条件が入力される（Ｓ１２）。たとえば、ユーザが送信先の名称の少なくとも一部を入力すると、検索条件受付部１０３が入力値を検索条件として受け付ける。
【００４０】
その後、検索が実行される（Ｓ１３）。アドレス情報取得部１０５が、インタフェース部２１を介して、検索条件に基づいて、ディレクトリサーバ４３にアドレス情報を検索させる。次いで、検索結果が取得される（Ｓ１４）。ディレクトリサーバ４３が検索を行うと、アドレス情報取得部１０５は、インタフェース部２１を介してディレクトリサーバ４３から検索結果を取得する。アドレス情報取得部１０５は、検索結果を検索結果記憶領域１２１に格納する。
【００４１】
つづいて、通信方式指定部１０１が、情報を送信する通信方式を少なくとも一つ指定する（Ｓ１５）。この処理は、ステップＳ１１のディレクトリサーバの選択の前に行うこともできる。
【００４２】
つづいて、検出部１０６が、対応テーブル記憶領域１２３の対応テーブルを参照し、ステップＳ１５で指定された通信方式の宛先に対応する属性を検出する（Ｓ１６）。表示処理部１０９は、抽出された結果を表示部１５に表示させる（Ｓ１７）。
【００４３】
つづいて、表示された検索結果の中から相手先のアドレス情報が選択される（Ｓ１８）。ユーザは、表示部１５に表示された結果を参照して相手先のアドレス情報を選択することができる。指示受付部１１１は、ユーザの選択を受け付け、受け付けた相手先のアドレス情報を通信制御部１１３に通知する。その後、ユーザが通信開始を指示すると、通信が開始される（Ｓ１９）。
【００４４】
なお、ステップＳ１５は省略することもでき、この場合、ステップＳ１６において、検出部１０６はいずれかの通信方式の宛先となる属性すべてを検出することができる。
【００４５】
図５は、ステップＳ１７で表示される表示例を示す。
図５（ａ）は、ステップＳ１２で検索条件として「営業本部」が入力され、ステップＳ１５で通信方式としてＦＡＸ通信が指定された場合の表示例である。
【００４６】
アドレス情報取得部１０５が、図３（ａ）に示された検索結果を取得した場合、検出部１０６は、図３（ｂ）または図３（ｃ）に示された対応テーブルを参照して、通信方式がＦＡＸに対応付けられた属性を検出する。表示処理部１０９は、検出部１０６により検出された属性の情報を表示部１５に表示させる。
【００４７】
図５（ｂ）は、ステップＳ１２で検索条件として「関東」が入力され、ステップＳ１５が省略された場合の表示例である。ここでは、複数の通信方式、ＴＥＬ、ＦＡＸ、ＭＡＩＬについてそれぞれ宛先が表示されている。
【００４８】
以上のように、本実施の形態の通信端末装置１０によれば、ディレクトリサーバ４３が有しているアドレス情報の複数の属性を、通信方式に対応付けてユーザに通知することができる。
【００４９】
対応テーブルは、予め通信端末装置１０のユーザにより、対応テーブル記憶領域１２３に記憶される。また、対応テーブル記憶領域１２３には、ディレクトリサーバ４３毎の対応テーブルが各ディレクトリサーバ４３の識別情報に対応付けて記憶されてもよい。この場合、アドレス情報取得部１０５は、各ディレクトリサーバ４３からアドレス情報を取得する際に、そのディレクトリサーバ４３の識別情報も取得することができる。検出部１０６は、識別情報をキーとして該当する対応テーブルを参照し、宛先を検出することができる。
【００５０】
以上に本発明の好適な実施の形態を説明した。しかし、本発明は上述の実施の形態に限定されず、当業者が本発明の範囲内で上述の実施の形態を変形可能なことはもちろんである。
【００５１】
以上の実施の形態では、検出部１０６が対応テーブル記憶領域１２３を参照してアドレス情報に含まれる属性から宛先を検出する例を説明した。しかし、他の例として、検出部１０６は、属性に対応づけられた項目名に含まれる文字列に基づき、宛先を検出することもできる。たとえば、検出部１０６は、「ｔｅｌｅｐｈｏｎｅ」という文字列を含む項目名に対応付けられた属性を、電話の宛先として検出することができる。
【００５２】
この場合、検出部１０６は、ユーザに問い合わせを行い、ユーザの確認を得て、その結果を対応テーブル記憶領域１２３に新たに記憶していくこともできる。これにより、検出部１０６は、次回から対応テーブル記憶領域１２３を参照してその属性が電話の宛先であるということを検出することができる。
【００５３】
このようにして、通信端末装置１０は、ディレクトリサーバ４３で任意に設定された属性であっても、通信方式に対応付けて検出することができる。データ構造が不明なディレクトリサーバ４３からの検索結果についても、通信方式毎に宛先を管理することが可能となる。
【００５４】
また、以上の実施の形態において、通信方式としては、ＰＳＴＮを利用した電話やファックス通信、メール通信、およびインターネットを利用した電話やファックス通信を例示したが、これ以外に、通信方式としてＵＲＬへのアクセス、ＦＴＰサーバへのアクセス、共有フォルダへのアクセスなどを含むこともできる。
【産業上の利用可能性】
【００５５】
本発明にかかる通信端末装置は、ディレクトリサーバから取得したアドレス情報を有効に活用できるという効果を有し、外部のデータベースからアドレス情報を取得して通信を行う通信端末装置等として有用である。
【図面の簡単な説明】
【００５６】
【図１】本実施の形態の通信端末装置のネットワーク構成を示すブロック図である。
【図２】図１の通信端末装置の制御部の機能ブロック図である。
【図３】図１の通信端末装置の対応テーブルの例を説明する図である。
【図４】図１の通信端末装置の動作を示すフローチャートである。
【図５】図１の通信端末装置の検索結果の表示例を示す図である。
【符号の説明】
【００５７】
１０  通信端末装置
１１  通信部
１３  操作部
１５  表示部
１７  制御部
１９  記憶装置
２１  インタフェース部
４１  ネットワーク
４３  ディレクトリサーバ
１０１  通信方式指定部
１０３  検索条件受付部
１０５  アドレス情報取得部
１０６  検出部
１０９  表示処理部
１１１  指示受付部
１１３  通信制御部
１２１  検索結果記憶領域
１２３  対応テーブル記憶領域
【図１】
2005217632.tif 000003
【図２】
2005217632.tif 000004
【図３】
2005217632.tif 000005
【図４】
2005217632.tif 000006
【図５】
2005217632.tif 000007